(57)【要約】【課題】待機状態にある検知器の電流消費を、単純な方法で低減させることが出来る回路装置を提供すること。【解決手段】検知器の入力端子に接続されている電源ソースによって検知器を制御するための回路装置と、検知器の出力端子に接続されている評価回路とを提供し、これらによって、待機状態における検知器の電流消費を簡単な方法で低減することが出来、電源ソース（１４）を、検知器（１２）の出力信号レベル（Ｓ）に応じて、少なくとも２つの電流レベルの間でスイッチングすることが出来る。【選択図】図１
2005500524.tif 000002
【特許請求の範囲】
【請求項１】
検知器を制御するための回路装置であって、前記検知器の入力端子に接続されている電源ソースと、前記検知器の出力端子に接続されている評価回路とを有する回路装置において、前記電源ソースが、前記検知器の出力信号レベルに応じて、少なくとも２つの電流レベルの間でスイッチング可能であることを特徴とする、回路装置。
【請求項２】
前記電源ソースが、スイッチを介して前記検知器に接続されている少なくとも２つの電流ソースを有し、前記スイッチの制御端子が、前記検知器の前記評価回路によって制御可能であることを特徴とする、請求項１に記載の回路装置。
【請求項３】
前記評価回路が、感度が異なる少なくとも２つの測定チャネルを有し、低感度を有する測定チャネルが、前記スイッチを制御する機能を有することを特徴とする、前記請求項の何れかに記載の回路装置。
【請求項４】
前記測定チャネルが、前記検知器信号のためのハイパスフィルタを有することを特徴とする、請求項３に記載の回路装置。
【請求項５】
前記低感度を有する前記測定チャネルが、高感度を有する前記測定チャネルに前記評価回路をスイッチングするために同時に役立つことを特徴とする、前記請求項の何れかに記載の回路装置。
【請求項６】
前記検知器の前記出力端子が、第二スイッチを介して前記評価回路に接続されていることを特徴とする、前記請求項の何れかに記載の回路装置。
【請求項７】
前記第一スイッチと前記第二スイッチとが、共通のトリガリング手段によって制御可能であることを特徴とする、前記請求項の何れかに記載の回路装置。
【請求項８】
前記トリガリング手段が、前記低感度を有する前記測定チャネルによって制御可能なシュミットトリガであることを特徴とする、請求項７に記載の回路装置。
【請求項９】
請求項１〜８の何れかに記載の回路装置を有することを特徴とする、検知器、特にパッシブな検知器。
【請求項１０】
前記検知器が、磁気抵抗性検知器、容量性検知器、誘導性検知器、および／または、機械的な検知器であることを特徴とする、請求項９に記載の検知器。
【発明の詳細な説明】
【０００１】
【発明の属する技術分野】
本発明は、検知器の入力端子に接続されている電源ソースと検知器の出力端子に接続されている評価回路とを有する、検知器を制御するための回路装置、およびこの回路装置を有する検知器に関する。
【０００２】
【従来の技術】
上述したタイプの回路装置は、公知である。この種のパッシブな検知器は、例えば、電源電圧を印加することが出来る少なくとも１つの磁気抵抗性抵抗器を有する。外部の磁界が、この磁気抵抗性抵抗器に作用すると、抵抗器は、その抵抗を変化させ、その結果磁気抵抗性検知器の出力電圧は、変化する。出力電圧のこの変化は、評価回路によって検出することが出来、かつ、対応するイベント信号を生成させることが出来る。
【０００３】
このような磁気抵抗性検知器は、例えば、角度測定または経路測定に使用される。用途によっては、測定が連続して行われず、長い時間間隔を置いて、すなわち不連続に測定が行われる。しかしながら、既知でない不連続な時点においても、磁気抵抗性検知器の能力を完全に機能させるために、これらは、絶えず電源ソースに接続されている。これには、磁気抵抗性検知器の出力信号レベルを高くするために相対的に高い電源電圧が必要となるので、この高い電源電圧に対応して、電流消費が高くなってしまう、という欠点がある。公知の磁気抵抗性検知器は、例えば、５ ｋΩの抵抗を有する。この場合、電流消費は、５ Ｖの電源電圧で１ ｍＡになる。この電流は、磁気抵抗性検知器素子が待機状態にしかない場合においても、流れてしまう。
【０００４】
【課題を解決するための手段】
本発明の目的は、上述したタイプの回路装置を提供することであり、これによって、待機状態にある検知器の電流消費を、単純な方法で低減させることが出来る。
【０００５】
この目的は、本発明によると、請求項１に規定されている回路装置によって解決される。電源ソースが、検知器の出力信号レベルに応じて、少なくとも２つの電流レベルの間でスイッチングすることが出来るので、初めは検知器の電源電圧が低いことによる影響があるにも関わらず、この検知器が、待機状態でもその検知機能を維持することが、有利に達成される。低い電源電圧を印加することによって、検知器の出力信号レベルが低減するが、出力信号レベルがこのように小さくても、検出すべきイベント（例えば、角度測定または経路測定における、例えば、外部磁場）の近似を認識するには十分である。検出すべきイベントの近似が認識されると、高電源電圧（標準電源電圧）にスイッチされ、これによって、検知器の公称出力電圧が、直接確保される。例えば、角度の変化または移動を、最初、その実際の測定時における検知器の機能能力を完全には用いずに、検知器の小さい電流消費によって検出できることは、明らかであろう。特に有利な点は、標準的な検知器を使用可能にするので、この待機機能を実現するために検知器素子自体の配置変更を行う必要がないことである。
【０００６】
本発明の好ましい実施例の場合、電源ソースが、スイッチを介して検知器に接続されている一方、このスイッチの制御端子を、検知器の評価回路によって制御することが出来る。この結果、少なくとも２つの電流レベル間における電源電圧ソースのスイッチングと評価回路とを、簡単な方法によって組み合わせることが可能になるであろう。特に、検出すべきイベントが認識された直後に、電源ソースを高い電流レベルにスイッチングし、かつ従って、検知器の出力信号のレベルを増加させることが、このように直接、実現可能になる。
【０００７】
本発明の更に好ましい実施例の場合、評価回路は、感度が異なる少なくとも２つの測定チャネルを有する。これらの内、感度が低い測定チャネルは、電源ソースに割り当てられているスイッチの制御に役立つ。これによって、最初に、この移動を認識するために十分な最小の出力信号レベルを検知器に提供することが、有利に達成される。特に、本発明の更に好ましい実施例の場合、評価回路を高感度の測定チャネルにスイッチングするために、低感度の測定チャネルが同時に使用される場合、イベントが検出された際に、電源を高い電流レベルにスイッチングすることに加えて、検知器の検知感度も単純な方法で同時に高めることが出来る。待機状態（スリープモード）では、少ない電流消費が実現されているにも関わらず、動作状態では、検知器が、検知器の所望の高出力レベルで直ちに完全に機能することが確実に実現される。
【０００８】
更に、本発明の好ましい実施例は、電源ソースをスイッチングするための第一スイッチと、評価回路の測定チャネルをスイッチングするための第二スイッチとが、シュミットトリガ（Ｓｃｈｍｉｔｔ Ｔｒｉｇｇｅｒ）として構成することが好ましい共通のトリガリング手段によって制御されることを特徴とする。この結果、電源ソースのスイッチングと、出力回路のスイッチングとを組み合わせることが、わずかな回路−技術的な処置により可能となるであろう。
【０００９】
本発明の更に好ましい実施例は、従属請求項に規定されている。
【００１０】
本発明のこれらの態様と他の態様は、以下に説明する実施例から明らかとなり、かつ、これらの実施例を参照することによって、解明されるであろう。
【００１１】
【発明を実施するための形態】
図は、磁気抵抗性検知器１２を制御するための回路装置１００を示す。回路装置１００は、電源ソース１４と評価回路１６とを有する。
【００１２】
電源ソース１４は、第一スイッチ１８を介して、磁気抵抗性検知器１２の入力端子２０に接続されている。磁気抵抗性検知器１２の出力端子２２は、第二スイッチ２４を介して評価回路１６に接続されている。
【００１３】
電源ソース１４は、第一電流ソース２６と第二電流ソース２８とを有し、この電流ソース２６が提供する電源電圧は、電流ソース２８が提供する電源電流よりも低い。電流ソース２６の電源電流ＩＶは、例えば、１０ μＡである。電流源２８の電源電流Ｉｖは、例えば、１ ｍＡである。磁気抵抗性検知器１２の抵抗器は、例えば、１０ ｋΩの値を有すると仮定する。
【００１４】
評価回路１６は、第一測定チャネル３０と第二測定チャネル３２とを有する。測定チャネル３０は、集積化されたハイパスフィルタを有する増幅器を有する。測定チャネル３２は、精密増幅器を有し、かつ、信号端子３４に接続されている。
【００１５】
測定チャネル３０の出力端子３６は、トリガリング手段４０の入力端子３８に接続されている。トリガリング手段４０は、例えば、シュミットトリガである。トリガリング手段４０は、スイッチ１８と２４の各々の制御端子４２と４４に接続されている。
【００１６】
図に示されている回路装置１００は、以下の機能を有する。
【００１７】
磁気抵抗性検知器１２が待機状態（スリープモード）にある場合、その入力端子２０は、スイッチ１８を介して電流ソース２６に接続される。同時に、出力端子２２は、スイッチ２４を介して測定チャネル３０に接続される。このスイッチング状態では、この磁気抵抗性検知器１２には、例えば、１０ μＡの低電源電流ＩＶが供給される。磁気抵抗性検知器１２の抵抗が１０ ｋΩの場合、１００ ｍＶの電源電圧ＵＶが、得られる。磁気抵抗性検知器１２の感度が１２ ｍＶ／Ｖであることを考慮すると、出力信号Ｓ ＝ １２ ｍＶ／Ｖ ｘ ０．１ Ｖ ＝ １．２ ｍＶが得られる。この信号振幅を有する出力信号は、スイッチ２４を介する測定チャネル３０に存在する。待機状態にある検知器１２のこの出力信号は、集積化されたハイパスフィルタに渡され、その結果、検出すべき移動に因るものではない信号変化（例えば、検知器１２のオフセットのドリフト信号）を訂正することが可能になる。これが可能になる理由は、特に、検出すべき移動の速度が最小でなければならないため、信号がハイパスフィルタを通過することによって、この最小速度と起こりうる信号ドリフトとの区別が十分に可能になるためでもある。
【００１８】
磁気抵抗性検知器１２が、感知すべき移動を認識すると、これは、検知器１２の出力信号Ｓの信号レベルを相対的に急速に変化させるであろう。この信号は、測定チャネル３０を介してトリガリング手段４０に渡される。この信号振幅が予め定めることが出来る閾値を超えると、スイッチ１８と２４とが、トリガリング手段４０によってトリガされ、電源ソース１４が、電流ソース２８にスイッチングし、かつ、評価回路１６が、測定チャネル３２にスイッチングする。この結果、検知器１２の出力信号レベルが所望の値に対応するように、磁気抵抗性検知器１２には、高い電流レベルが供給される。回路装置１００のこのスイッチング状態は、動作状態に対応する。ここで検出された移動に対応する対応信号は、測定チャネル３２の信号端子３４を介して、座標回路等に渡される。この座標回路は、移動認識の終了と同時に、リセット信号を生成することが出来る。このリセット信号によって、スイッチ１８と２４は、磁気抵抗性検知器１２をその待機状態に再びスイッチングする。これは、図示されているように、例えば、トリガリング手段４０のリセット端子４６によって実現することが出来る。
【００１９】
本発明は、ここで説明されている実施例に限定されるものではない。例えば、電源ソースをスイッチングする原理は、例えば、容量性検知器、誘導性検知器、抵抗性歪み計を有する検知器等に使用することが出来る。
【図面の簡単な説明】
【図１】磁気抵抗性検知器の回路装置のブロック線図である。
【符号の説明】
１２…磁気抵抗性検知器
１４…電源ソース
１６…評価回路
１８…第一スイッチ
２０…入力端子
２２…出力端子
２４…第二スイッチ
２６…第一電流ソース
２８…第二電流ソース
３０…第一測定チャネル
３２…第二測定チャネル
３４…信号端子
３６…出力端子
３８…入力端子
４０…トリガリング手段
４２…制御端子
４４…制御端子
４６…リセット端子
１００…回路装置
【図１】
2005500524.tif 000003
【国際公開パンフレット】
2005500524.tif 000004
2005500524.tif 000005
2005500524.tif 000006
2005500524.tif 000007
2005500524.tif 000008
2005500524.tif 000009
2005500524.tif 000010
2005500524.tif 000011
2005500524.tif 000012
【国際公開パンフレット（コレクトバージョン）】
2005500524.tif 000013
【国際公開パンフレット（コレクトバージョン）】
2005500524.tif 000014
2005500524.tif 000015
2005500524.tif 000016
2005500524.tif 000017
2005500524.tif 000018
2005500524.tif 000019
2005500524.tif 000020
2005500524.tif 000021
2005500524.tif 000022
【国際調査報告】
2005500524.tif 000023
2005500524.tif 000024
2005500524.tif 000025